(57)【要約】【課題】  表示画面の大型化と撮像装置全体の携帯性との両立を課題とする。【解決手段】  レンズ部を有し、上下方向が左右方向よりも長い形状の撮像装置であって、  撮像装置本体と、画像を表示する表示画面を有する表示部と、収納位置と、撮影位置とに、前記表示部を移動可能とする移動部材と、前記操作者側の面に設けられた撮像を行う際に用いられる操作部材と、を有し、前記移動部材は、前記表示部が前記収納位置にあるときは、前記表示部の長手方向と前記撮像装置本体の長手方向とが略一致し、前記表示部が前記撮影位置にあるときは、前記表示部の短手方向と前記撮像装置本体の長手方向とが略一致することを特徴とする撮像装置。【選択図】  図１２
2005304067.tif 000002
【特許請求の範囲】
【請求項１】
レンズ部を有し、上下方向が左右方向よりも長い形状の撮像装置であって、
撮像装置本体と、
画像を表示する表示画面を有する表示部と、
前記撮像装置本体の第１の面が前記表示部によって覆われる第１の位置と、前記表示部の前記表示画面側が前記操作者方向に向き、前記表示部の前記表示画面の背面側が撮像しようとする被写体方向に向く第２の位置とに、前記表示部を移動可能とする移動部材と、
前記撮像装置本体の前記第１の面に隣接するとともに、前記表示部を前記第２の位置に移動させて撮像する際に前記操作者方向を向いている第２の面に設けられた、前記操作者によって操作される撮像を行う際に用いられる操作部材と、
を有し、
前記移動部材は、前記表示部が前記第１の位置にあるときは、前記表示部の長手方向と前記撮像装置本体の長手方向とが略一致し、前記表示部が前記第２の位置にあるときは、前記表示部の短手方向と前記撮像装置本体の長手方向とが略一致することを特徴とする撮像装置。
【請求項２】
請求項１において、前記操作部材は、逆光補正キーであることを特徴とする撮像装置。
【請求項３】
請求項１において、前記操作部材は、フェードキーであることを特徴とする撮像装置。
【請求項４】
請求項１において、前記操作部材は、トリガーボタンであることを特徴とする撮像装置。
【請求項５】
請求項１乃至４のいずれか１項において、前記表示部は、前記表示部によって前記第１の面の少なくとも一部分が覆われるととともに、前記表示画面が露出される第３の位置に回動可能であることを特徴とする撮像装置。
【請求項６】
請求項１乃至５のいずれか１項において、前記移動部材は、表示部が第１の位置にあるときに前記撮像装置の上側の短手方向の辺側に設けられていることを特徴とする撮像装置。
【発明の詳細な説明】
【技術分野】
【０００１】
本発明は、静止画あるいは動画などの撮像画像を表示するためのＬＣＤなどの表示部を備える撮像装置に関するものである。
【背景技術】
【０００２】
従来、この種の装置においては、例えば特開平８−１２５８９０号公報に開示されているように、ＬＣＤ（液晶表示）部をそれぞれ本体に収納して閉じた場合、ＬＣＤ部の長手方向が本体の水平面と同一であった。
【０００３】
一方、近年、その一例の外観斜視図を図７に示すように、ビデオカメラ小型化のレイアウトとして、その操作の良さから本体が高さ方向（垂直方向）に長い直方体形状のものが市場に提案されて好評である。
【０００４】
なお、図中、１はビデオカメラ本体、６はＬＣＤなどによって構成されている表示部、６ａはその表示画面、１４はレンズ部を示す（例えば、特許文献１）。
【特許文献１】特開平９―３７１２４号公報
【発明の開示】
【発明が解決しようとする課題】
【０００５】
しかしながら、この図７のようなビデオカメラの場合、ファインダ兼再生表示用のＬＣＤパネルを設置すると、一般に、表示部６は、表示画面にならって横長直方体であり、かつ再生表示時と収納時とでその長さ方向が同じであるので、収納時の携帯性を考えて全体をコンパクトにしようとすると、ビデオカメラ本体１の短辺の長さ（本体の側面における水平方向の長さ）で表示部６の長辺の長さ（水平方向の長さ）が制限され、見易さのために表示部６（画面６ａ）を大きくしようとしても、できないという問題点があった。
【０００６】
また、図２０に示すように、ビデオカメラ本体１の小型化に伴い、本体１上に露出したスペースが少なくなり、スピーカおよび各種操作キーの一部は本体１と表示部６との当接面内に設置されるようになってきた。
【０００７】
この場合、例えば、図１９に示すように、スピーカ、および再生時にのみ使用する音量調節、輝度調節などの操作部材は、表示部６が本体１に収納されている状態では表示部６に覆われてしまい、画像の再生を行う場合においては、スピーカの音がこもってしまったり、操作性が悪くなるといった欠点があった。
【０００８】
本発明は、以上のような局面にかんがみてなされたもので、上記の少なくとも１つの問題点を解決するための手段の提供を目的としている。
【課題を解決するための手段】
【０００９】
上述した少なくともひとつの目的を達成するために、レンズ部を有し、上下方向が左右方向よりも長い形状の撮像装置であって、撮像装置本体と、
画像を表示する表示画面を有する表示部と、前記撮像装置本体の第１の面が前記表示部によって覆われる第１の位置と、前記表示部の前記表示画面側が前記操作者方向に向き、前記表示部の前記表示画面の背面側が撮像しようとする被写体方向に向く第２の位置とに、前記表示部を移動可能とする移動部材と、前記撮像装置本体の前記第１の面に隣接するとともに、前記表示部を前記第２の位置に移動させて撮像する際に前記操作者方向を向いている第２の面に設けられた、前記操作者によって操作される撮像を行う際に用いられる操作部材と、を有し、前記移動部材は、前記表示部が前記第１の位置にあるときは、前記表示部の長手方向と前記撮像装置本体の長手方向とが略一致し、前記表示部が前記第２の位置にあるときは、前記表示部の短手方向と前記撮像装置本体の長手方向とが略一致することを特徴とする撮像装置を提供する。
【発明の効果】
【００１０】
以上説明したように、本発明によれば、表示画面の大型化と撮像装置全体の携帯性との両立が可能となった。
【発明を実施するための最良の形態】
【００１１】
以下に、本発明の実施の形態を、好適な一実施例に基づき、図面を用いて詳細に説明する。
【００１２】
図１に、本発明に関る第１の実施の形態のビデオカメラの要部概要構造を表す部分断面図を示す。図１において、１はビデオカメラ本体、２は中継部で、円筒部２ａが本体１の穴に回転可能に嵌合し、ワッシャ３、皿（ばね）座金４を貫通して皿座金４を圧縮して止め輪５が溝部２ｂに固定されている。本体１、移動部材としての中継部２、ワッシャ３の各当接面は、それぞれ摺動可能な滑らかな面を有する。
【００１３】
６は表示部で、手前面に表示画面６ａを有する。７はブラケットＡで、表示部６の側面にビス固定されると共に、穴部７ａは、中継部２の第２の円筒部２ｃ部と回転可能に嵌合している。
【００１４】
８は、中継部２に加締固定された開閉軸で、ブラケットＡ７と同じくＬＣＤ部６の側面にビス固定されたブラケットＢ９の９ａ部と回動可能に嵌合すると共に、小ワッシャ１０、小皿座金１１を貫通し、小皿座金１１を、圧縮して小止め輪１２が溝部８ａに固定されている。
【００１５】
開閉軸８のつば部８ｂ、ブラケット２の９、小ワッシャ１０の各当接面はそれぞれ摺動可能な滑らかな面である。１３は、中継部２の各円筒部２ａ，２ｃを経由して、本体１内と表示部６内の回路を継ぐ捩じりの可能な配線ケーブルである。中継部２は、外周に突起２ｅがあり、円筒部２ａを中心に回動すると、本体１の突起１ｂと当接する。
【００１６】
図２は、以上の構成を適用したビデオカメラの画像再生時の形態斜視図で、１４はレンズ部、１５はトリガボタンである。このとき、ビデオカメラの撮像光軸と表示部６の表示面とが略平行であって、かつ表示部６の短手方向と前記ビデオカメラ本体の長手方向とが同一方向である。
【００１７】
以上の構成において、図２の表示部６端を本体より引き上げると、図１におけるブラケットＢ９が小皿座金１１の圧力による開閉軸８のつば部８ｂと小ワッシャ１０の摩擦制動力に抗して中継部２に対し開閉軸８回りに回動する。表示部６を図３に示す対面撮影形態図の位置で、引上げを停止すると、前記制動力で、表示部６は、半固定されて、図３に示すように対面撮影が可能である。
【００１８】
次に、対面撮影形態を示す図３の状態において、表示部６に時計方向回りの力を加えると、中継部２が皿座金４の圧力による中継部２のつば部２ｄとワッシャ３との摩擦制動力に抗して、本体１に対し、中継部２の円筒部２ａ回りに回動する。表示部６を、図４に示すようなハイアングル撮影形態の位置で停止させると、やはり前記制動力により表示部６が半固定され、ハイアングル撮影が可能である。
【００１９】
更に、図４の状態において、表示部６を下方に押し下げると、図２から図３への移行の場合と同様に、図１に示すブラケットＢ９が開閉軸８回りに回動し、表示部６の表示画面６ａ側が本体１と当接停止し、図５に示すように、表示部６がビデオカメラ本体１に対して収納された状態となる。このとき、表示部６の長手方向と本体１の表示部６の設置側面の長手方向とが同一方向となる。そして、表示部６の短手方向の長さは本体の表示部６の設置側面の短手方向の長さと略同一かやや短いため、表示部６は本体１から突出しない。
【００２０】
また、図４において、表示部６を円筒部２ａ回りに矢印方向へ更に９０°程度回転させれば、図６に示すような通常撮像形態となり、また、更に９０°回転させれば、ローアングル撮影（図示せず）も可能である。
【００２１】
なお、図６の通常撮像状態においては、撮像光軸と表示部６の表示面とが略垂直であって、かつ、前記表示部の短手方向と本体１の表示部６の設置側面の長手方向とが同一方向である。
【００２２】
この時、表示部６を更に回転させると、図２に示す中継部２の突起２ｅが、本体１の突起１ｂと当接して、図３の状態以前に停止し、この状態にはならない。
【００２３】
また、図１において、表示部６の取付辺の幅の中心線Ａに対し、中継部材２の回動中心線Ｂは、前記表示部６の短手方向の中心線Ａから寸法ｌだけオフセットしている。そのため、中継部材２は本体１の側面の角部近傍に配置した場合であっても表示部６の収納時には表示部６が本体１からはみ出すことはない。そして中継部材２が本体１の側面の角部近傍に配置されることによって本体１の側面における操作ボタンの配置が可能となる。
【００２４】
なお、図１における２点鎖線は、ＬＣＤ部６中継部２のカバーのイメージを表わす。
【００２５】
以上説明したように、図５に示すように、収納携帯時の形状を突起なくコンパクトに構成すると共に、図２に示す如く、再生時の表示部６（画面６ａ）を大きく見易くすることが可能である。
【００２６】
また、再生時の表示部６の突出を少なくして、重量バランスを向上させることができる。
【００２７】
次に本発明の第２の実施の形態を示す。
【００２８】
図８は、第２の実施の形態の液晶パネルによって構成される表示画面６ａの背面を本体に当接させた形態の斜視図である。図１と同一の符号は図１と同じ構成であるものとし、その説明を省略する。
【００２９】
１ｃは発音穴で本体１の対応する内部にスピーカが設置されている、１ｄは本体表面に設置されたスピーカから出力される音声のボリューム、再生、停止、早送り等の再生時操作キーである。
【００３０】
表示部６の表示画面６ａの反対面が本体１と当接したこの状態では、スピーカの発音穴１ｃ及び本体表面に設置されたボリューム、再生、停止、早送り等の操作キー１ｄは表示部６によって隠れない位置すなわち、表示部６が接続される本体の側面の下方に配置されている。
【００３１】
１４はレンズ部、１５はトリガボタン、１６はビューファインダ、１７はフェードキー、１８は逆光補正キーである。
【００３２】
ヒンジ２の構造は図１と同じであるのでその説明は省略する。
【００３３】
以上の構成において、図８のビデオカメラの状態で表示部６において画像の再生表示を行うと、その再生表示にともなって出力される音声は、スピーカ発音穴及び再生に関するキーは全面が開放されているので、音質が良く、操作性も良好である。
【００３４】
表示部６を本体１より引き上げると、９のブラケット２が小サラ座金１１の圧力による開閉軸８のつば部８ｂと小ワッシャ１０の摩擦制動力に抗してヒンジ２に対し開閉軸８回りに回動する。表示部６を図９の位置で回動を停止すると前記制動力で表示部６は半固定されて対面撮影が可能である。
【００３５】
次に図９の表示部６に図１０に示すような軸Ｂを中心として時計回りあるいは反時計回りの力を加えると、ヒンジ２がサラ座金４の圧力によるヒンジ２のつば部２ｄとワッシャ３の摩擦制動力に抗して本体１に対しヒンジ２の２ａまわりに回動する。そして表示部６を図１０の位置で停止させ、続いて下方に押し下げるとブラケットＢ９が開閉軸８まわりに回動し、表示画面６ａが本体１と当接停止し図１１の状態となる。
【００３６】
表示部６の表示画面６ａが本体１と当接し、収納されている図１１の状態では、表示部６の当接面が図８の画像画生表示のときより増大して、スピーカの発音穴１ｃ及び本体表面に設置されたボリューム、再生、停止、早送り等の操作キー１ｄは表示部６に隠れ、誤動作を防止している。この図１１の状態は撮影していない場合かあるいはファインダ１６を用いて撮影を行う状態である。そのためスピーカ発音穴１ｃ及び再生のキー１ｄは使用しないので表示部６によって隠れていても問題はない。
【００３７】
図１０において表示部６を更に９０度程度矢印方向に回転させれば、図１２に示すような表示部６を使った撮影が可能となる。
【００３８】
さらに回転させると、ヒンジ２の突起２ｅが本体１の突起１ｂと当接して回り過ぎを回避する。
【００３９】
以上説明したように、第２の実施の形態によれば、第１の実施の形態の表示部６を有する撮像装置において、画像を再生表示する場合は表示部６の近傍に発音穴１ｃ、再生操作キー１ｄが配置されるので操作性がよい。また、表示部６が収納される場合は、発音穴１ｃ、再生操作キー１ｄが表示部１０６によって覆われるので、これらをゴミ、ホコリの侵入を防ぐことができる。
【００４０】
次に本発明の第３の実施の形態を示す。
【００４１】
図１３〜１５は第３の実施の形態のビデオカメラの斜視図である。図７の表示部が収納されるビデオカメラの状態において、２０はビデオカメラ本体、２１はレンズ、２２は音声を入力するためのマイク、２３はズーム倍率を操作するためのズームレバー、２４はビューファインダ、２５は表示部、２６はヒンジである。表示部２５は２６に対しその中心軸２５ａから高さ方向に少しずれた軸２６ａを中心として矢印Ａ方向に回動可能である。また、２６は本体２０に対し、軸２６ｂを中心に回動可能である。
【００４２】
２７はフェードキー、２８は逆光補正キーであり、撮像を行う場合に用いられる操作部材である。また、２９〜３２は巻戻し・停止・再生・早送りの操作キーである。
【００４３】
図１５は、表示部２５を用いて画像を再生表示する場合のビデオカメラの斜視図である。図９において、２５ｂは表示部２５の一側面に設置されたＬＣＤなどによって構成される表示画面、３３は本体奥にスピーカが設置された発音穴部、３４は前記スピーカ音量を調節するための操作キー、３５は前記表示画面の輝度増減キーであり、画像の再生表示に用いられる操作部材である。
【００４４】
図１３の表示画面２５ｂ収納されている状態においては、ファインダ２４を用いて画像を確認しながら撮影を行うことが可能である。この場合、撮像に使用するフェードキー２７・逆光補正キー２８は露出しており、撮像する場合に用いられないスピーカ発音穴３３、音量調節キー３４、輝度増減−３５は表示部２５に覆われることになり、ホコリ、ゴミから保護される。
【００４５】
次に図１４に示すように、図１３の状態からまず軸２６ｂを中心として矢印Ｂ方向に略９０°回転させ、次に軸２６ａを中心として矢印Ａ方向に略１８０°回転させ、再び軸２６ｂを中心として矢印Ｂ方向に回転させて図９に示すような画像再生表示状態とする。図１５の状態において、表示部２５の本体２０に対する当接面が図１３の状態から移動し、画像を再生表示する場合に用いられるスピーカ発音穴３３、音量調節キー３４、輝度増減キー３５が露出し、画像を再生表示する場合に用いられないフェードキー２７、逆光補正キー２８は表示部２５に覆われることになり、ホコリ、ゴミから保護される。
【００４６】
次に第３の実施の形態の変形例を図１６〜１８に示す。この変形例において、画像を再生表示する場合、表示部２５が本体２５の下部より突出する構成となっている。
【００４７】
図１６の表示部２５が収納されている状態においてはファインダ２４を用いて画像を確認しながら撮影を行うことができる。この場合再生時に使用されるスピーカ発音穴３３は表示部２５で覆われており、ホコリ、ゴミから保護されている。
【００４８】
図１７は画像の再生表示を行う場合の本実施の形態のビデオカメラの斜視図である。
【００４９】
表示部２５の水平方向の中心軸２５ａから少しずれた軸を中心として表示部２５が回動するため、図１６の状態において表示部２５に覆われていたスピーカ発音穴３３が図１７においては露出することになり、音質を保持することができる。
【００５０】
また、画像の再生表示を行う場合、図１８のごとく表示部２５が本体２０の下部から突出しているので、本体が傾くこととなり、表示画面２５ｂが上方より見易い。
【００５１】
なお、第３の実施の形態において、撮像に用いられる操作部材としてフェードキー２７、逆光補正キー２８を示し、画像の再生表示に用いられる操作部材として、音量調節キー３４、輝度調節キー３５等を説明したが、本発明はこれらのキーに限定するものではない。
【図面の簡単な説明】
【００５２】
【図１】第１，第２の実施の形態のビデオカメラの要部概要構造の一部断面図
【図２】第１の実施の形態のビデオカメラの再生時の斜視図
【図３】第１の実施の形態のビデオカメラの対面撮影を行うときの斜視図
【図４】第１の実施の形態のビデオカメラのハイアングル撮影を行うときの斜視図
【図５】第１の実施の形態のビデオカメラの表示部を収納するときの斜視図
【図６】第１の実施の形態のビデオカメラの通常撮影を行うときの斜視図
【図７】従来の小型ビデオカメラの一例の外観斜視図
【図８】第２の実施の形態における画像の再生表示を行う場合のビデオカメラの斜視図
【図９】第２の実施の形態における対面撮影を行う場合のビデオカメラの斜視図
【図１０】第２の実施の形態における表示部を図３より回動させたときのビデオカメラの斜視図
【図１１】本発明第２の実施の形態における表示画面を本体に当接させたときのビデオカメラの斜視図
【図１２】本発明第２の実施の形態における表示部を図４より回動させ、通常撮影を行う場合のビデオカメラの斜視図
【図１３】本発明第３の実施の形態における表示画面を本体に当接させたときのビデオカメラの斜視図
【図１４】本発明第３の実施の形態における表示画面を本体より立ち上げたときのビデオカメラの斜視図
【図１５】本発明第３の実施の形態における画像の再生表示を行う場合のビデオカメラの斜視図
【図１６】本発明第３の実施の形態の変形例における表示画面を本体に当接させたときのビデオカメラの斜視図
【図１７】本発明第３の実施の形態の変形例における画像の再生表示を行う場合のビデオカメラの斜視図
【図１８】本発明第３の実施の形態の変形例における画像の再生表示を行う場合のビデオカメラの側面図
【図１９】従来例の画像の再生表示を行う場合のビデオカメラの斜視図
【図２０】従来例の撮像を行う場合のビデオカメラの斜視図
【符号の説明】
【００５３】
１  本体
２  中継部
３  ワッシャ
４  皿座金
５  止め輪
６  ＬＣＤ部
【図１】
2005304067.tif 000003
【図２】
2005304067.tif 000004
【図３】
2005304067.tif 000005
【図４】
2005304067.tif 000006
【図５】
2005304067.tif 000007
【図６】
2005304067.tif 000008
【図７】
2005304067.tif 000009
【図８】
2005304067.tif 000010
【図９】
2005304067.tif 000011
【図１０】
2005304067.tif 000012
【図１１】
2005304067.tif 000013
【図１２】
2005304067.tif 000014
【図１３】
2005304067.tif 000015
【図１４】
2005304067.tif 000016
【図１５】
2005304067.tif 000017
【図１６】
2005304067.tif 000018
【図１７】
2005304067.tif 000019
【図１８】
2005304067.tif 000020
【図１９】
2005304067.tif 000021
【図２０】
2005304067.tif 000022